(57)【要約】【課題】外部ディスブレイ装置を必要とせずに単独でどこででも使用でき、また使用者がマイク部を扱いやすいように、保持部との取付角度位置を自在に調整できなかった。【解決手段】信号処理部２０Ｃはカラオケデータを多数記憶するメモリ１と、保持部２０Ｂを介して操作部４側から供給される操作信号に基づいてメモリ１からのカラオケデータの読み出し動作をはじめとする当該装置各部の各種動作を制御すると共に、マイクロホン側から供給される音声信号とメモリ１から読み出されるカラオケ伴奏に係る音声信号とをミキシングしてスピーカ部２０Ｄへ出力し、メモリ１から読み出される歌詞、画像に係る映像信号をディスプレイ部２０Ｅへ出力する制御部６とを備えている。【選択図】      図１
2007094297.tif 000002
【特許請求の範囲】
【請求項１】
マイク部と、保持部と、信号処理部と、スピーカ部と、ディスプレイ部とを一体に構成してなる携帯型カラオケ装置であって、
前記マイク部は、マイクロホンと、カラオケに関する各種の入力選択変更操作を行う操作部とを備え、かつ前記保持部に接続されており、
前記保持部は、当該装置を把持して携帯保持する部分であり、かつ前記マイク部と前記信号処理部とにそれぞれ接続されており、
前記信号処理部は、
同期再生可能なカラオケ伴奏、歌詞、画像に関するカラオケデータを多数記憶するメモリと、
前記保持部を介して前記操作部側から供給される操作信号に基づいて前記メモリからのカラオケデータの読み出し動作をはじめとする当該装置各部の各種動作を制御すると共に、前記マイクロホン側から供給される音声信号と前記メモリから読み出されるカラオケ伴奏に係る音声信号とをミキシングして前記スピーカ部へ出力し、前記メモリから読み出される歌詞、画像に係る映像信号を前記ディスプレイ部へ出力する制御部とを備え、
かつ前記スピーカ部と前記ディスプレイ部とにそれぞれ接続されている
ことを特徴とする携帯型カラオケ装置。
【請求項２】
前記信号処理部は、さらに、音声・映像出力端子を有しており、
前記制御部は、さらに、前記音声・映像出力端子に外部機器が接続されているか否かを
検出する機能を有しており、前記音声・映像出力端子に外部機器が接続されていることを検出したときには、前記音声・映像出力端子側へ音声信号、映像信号を出力すると共に、前記スピーカ部及び前記ディスプレイ部側への出力している音声信号、映像信号の供給を停止することを特徴とする請求項１記載の携帯型カラオケ装置。
【請求項３】
前記マイク部と前記保持部との間、前記信号処理部と前記スピーカ部との間、前記信号
処理部と前記ディスプレイ部との間の少なくとも１箇所には、取付位置調整及び角度調整
が可能である接合手段を有することを特徴とする請求項１又は２記載の携帯型カラオケ装
置。
【請求項４】
マイク・保持部と、信号処理部と、スピーカ部と、ディスプレイ部の一部又はそれぞれが分離可能なように一体に構成してなる携帯型カラオケ装置であって、
前記マイク・保持部は、マイクロホンと、カラオケに関する各種の入力選択変更操作を行う操作部と、前記マイクロホン側から供給される音声信号と前記操作部側から供給される操作信号とに基づいて生成した変調信号を無線送信する送信部とを備え、
前記信号処理部は、前記送信部から無線送信された変調信号を受信する受信部と、
同期再生可能なカラオケ伴奏、歌詞、画像に関するカラオケデータを多数記憶するメモリと、
前記受信部で受信した変調信号を変調時と相補的に復調して得た復調信号に基づいた操作信号によって前記メモリからのカラオケデータの読み出し動作をはじめとする当該装置の各種動作を制御すると共に、前記復調信号に基づいて得た音声信号と前記メモリから読み出されるカラオケ伴奏に係る音声信号とを前記スピーカ部へ出力し、また前記メモリから読み出される歌詞、画像に係る映像信号を前記ディスプレイ部へ出力する制御部とを備え、
かつ前記スピーカ部と前記ディスプレイ部とにそれぞれ着脱自在に接続されている
ことを特徴とする携帯型カラオケ装置。
【請求項５】
前記信号処理部は、さらに、音声・映像出力端子を有しており、
前記制御部は、さらに、前記送信部と前記受信部とが一体に接続されているか否かを検出する機能を有しており、前記送信部と前記受信部とが一体に接続されていないことを検出したときは、前記送信部と前記受信部間との間で無線伝送を行い、前記送信部と前記受信部とが一体に接続されていることを検出したときは、前記送信部と前記受信部間との間の無線伝送を停止すると共に、前記操作部側から供給される操作信号に基づいて前記メモリから読み出されるカラオケデータの歌詞、画像に係る映像信号と、前記マイクロホン側から供給される音声信号と前記メモリから読み出されるカラオケ伴奏に係る音声信号とを前記音声・映像出力端子へ出力することを特徴とする請求項４記載の携帯型カラオケ装置。
【発明の詳細な説明】
【技術分野】
【０００１】
本発明は、テレビジョン等の外部装置を用いることなく、単独でカラオケができる携帯型カラオケ装置に関する。
【背景技術】
【０００２】
図６は従来の携帯型カラオケ装置の一例である。
図６中、１はメモリ（ＳＤ）、２はマイクロホン（Ｍｉｃｒｏｐｈｏｎｅ）、３はマイクロホンアンプ（Ａｍｐ）、４は操作部（Ｋｅｙ）、５は操作信号変換器（Ｋｅｙ  Ｅｎｃ）、６は信号処理・システムコントロール部（ＤＳＰ＋ＡＲＭ）、７は映像・音声出力端子（ＣＮ４ａ）、８は電源（Ｂａｔｔｅｒｙ１）、９はケーブルである。
【０００３】
従来の携帯型カラオケ装置は、後述するように、内臓のメモリ１には、同期再生可能なカラオケ伴奏、歌詞、画像のカラオケデータが記録されており、マイク音声と共にカラオケ伴奏音と、この音声に同期した画像と歌詞とを外部ディスプレイ(ＴＶ)へ送出し、ここで再生・表示する機器である。
【０００４】
具体的には、カラオケ装置１０は、マイク部１０Ａと、保持・信号処理部１０Ｂとから構成されており、ケーブル９を用いて保持・信号処理部１０Ｂと外部のディスブレイ装置（例えば音声・映像出力するテレビジョン装置）とを接続する。
【０００５】
前記したマイク部１０Ａは、マイクロホン２、マイクロホンアンプ３、操作部４、操作信号変換器５を備えており、また保持・信号処理部１０Ｂは、メモリ１、信号処理・システムコントロール部６、映像・音声出力端子７、電源８を備えている。
【０００６】
メモリ１には既述したように同期再生可能なカラオケ伴奏、歌詞、画像のカラオケデータが多数曲記録されている。操作部４は、エコーレベル、テンポ、音量などの選択・変更、カラオケ曲や主旋律のオン・オフなどの選択・変更など、カラオケを行うに際して必要な各種の操作モードを選択・変更するための複数のボタンスイッチやダイヤルなどを備えている。操作信号変換器５は操作部４から出力する各種の操作モードに応じた操作信号をシリアル信号に変換して、信号処理・システムコントロール部６へ送出する。マイクロホン２で収音したマイク音声はマイクロホンアンプ３で増幅された後、信号処理・システムコントロール部６へ送出される。
【０００７】
信号処理・システムコントロール部６は操作信号変換器５から供給されるシリアル信号を内臓のマイクロコンピュータ（システムコントローラ）で受け付け、ここで各種の操作モードを識別し、識別結果に応じて携帯型カラオケ装置１０各部の動作を制御する。内蔵の信号処理部はシステムコントローラの動作制御に従ってマイク音声にエコーを付加するなどの信号処理を行い、また、メモリ１に記録されている特定のカラオケデータに係るカラオケ伴奏を再生してマイク音声とを混合して、映像を映像・音声出力端子７に供給する。このカラオケ伴奏と同期再生される歌詞、画像は映像・音声出力端子７に供給される。
【０００８】
こうして、特定のカラオケデータに係るカラオケ伴奏、歌詞、画像、マイク音声は映像・音声出力端子から出力し、ケーブル９を介して、外部のディスブレイＴＶに出力すると共に、メモリ１に記録されているカラオケデータを読み出した歌詞、画像とを、映像を映像・音声出力端子７、ケーブル９を介して、外部のディスブレイ装置に供給されてここで再生される。電源８は電池、充電池などの電源である。
【０００９】
さて、従来の携帯型カラオケ装置と外部機器とを接続することについては、例えば小型スピーカとの装着や音声のみの無線伝送などがあり、これらは既に広く知られている（例えば、特許第２６８１０５０号公報、特開２００３−１０８１６４号公報）。
【特許文献１】特許第２６８１０５０号公報
【特許文献２】特開２００３−１０８１６４号公報
【発明の開示】
【発明が解決しようとする課題】
【００１０】
前述した従来の携帯型カラオケ装置には、次のような問題点があった。
（１）  装置本体にディスブレイ装置を搭載していないので、使用の際には、音声と画像とを共に再生できるディスブレイ装置との接続が必須であり、単独で用いることが出来ない不都合があった。
【００１１】
（２）  また、携帯型の装置であるから、携帯に供するように手に持つための保持部（保持・信号処理部１０Ｂ）を形成してあるので、単独のときには手持ちが可能であるが、実際の使用状況ではディスブレイ装置との接続が欠かせないから、ディスブレイ装置に接続するケーブルが短い場合にはこのディスブレイ装置に装置本体が引っ張られてしまい、装置本体を安定して手に持てない状態が生じる問題があった。このために、小型スピーカの装置本体への装着や音声のみの外部の機器へ無線伝送することが考えられるが（特許第２６８１０５０号公報、特開２００３−１０８１６４号公報に記載されているように）、この場合には、別に歌詞カードが必要であったり、ディスブレイ装置の表示に従っていないと曲の選択や各種歌唱モードの選択ができないなどの不都合があった。
【００１２】
（３）  さらに、携帯型カラオケ装置の保持部（保持・信号処理部１０Ｂ）とマイク部１０Ａの位置が固定されているので、使用者（歌唱者）が歌いやすい位置（角度）にマイク部を位置決めすることは難しかった。
【００１３】
そこで本発明は上記した課題に鑑みて創案されたものであり、外部のディスブレイ装置を必要とせずに、装置単独でどこででも使用することができ、また使用者がマイク部を扱いやすいように保持部との取付角度位置を自在に調整することができる携帯型カラオケ装置を提供することを目的とする。
【課題を解決するための手段】
【００１４】
本発明は、上述した課題を解決するため、次の（１）〜（５）の構成を有する携帯型カラオケ装置を提供する。即ち、
（１）  図１に示すように、マイク部２０Ａと、保持部２０Ｂと、信号処理部２０Ｃと、スピーカ部２０Ｄと、ディスプレイ部２０Ｅとを一体に構成してなる携帯型カラオケ装置２０であって、
前記マイク部２０Ａは、マイクロホン２と、カラオケに関する各種の入力選択変更操作を行う操作部４とを備え、かつ前記保持部２０Ｂに接続されており、
前記保持部２０Ｂは、当該装置２０を把持して携帯保持する部分であり、かつ前記マイク部２０Ａと前記信号処理部２０Ｃとにそれぞれ接続されており、
前記信号処理部２０Ｃは、
同期再生可能なカラオケ伴奏、歌詞、画像に関するカラオケデータを多数記憶するメモリ１と、
前記保持部２０Ｂを介して前記操作部４側から供給される操作信号に基づいて前記メモリ１からのカラオケデータの読み出し動作をはじめとする当該装置２０各部の各種動作を制御すると共に、前記マイクロホン２側から供給される音声信号と前記メモリ１から読み出されるカラオケ伴奏に係る音声信号とをミキシングして前記スピーカ部２０Ｄへ出力し、前記メモリ１から読み出される歌詞、画像に係る映像信号を前記ディスプレイ部２０Ｅへ出力する制御部６とを備え、
かつ前記スピーカ部２０Ｄと前記ディスプレイ部２０Ｅとにそれぞれ接続されていることを特徴とする携帯型カラオケ装置。
（２）  図１に示すように、前記信号処理部２０Ｃは、さらに、音声・映像出力端子７を  有しており、
前記制御部６は、さらに、前記音声・映像出力端子７に外部機器が接続されているか否
かを検出する機能を有しており、前記音声・映像出力端子７に外部機器（たとえばテレビジョンＴＶ）が接続されていることを検出したときには、前記音声・映像出力端子７側へ音声信号、映像信号を出力すると共に、前記スピーカ部２０Ｄ及び前記ディスプレイ部２０Ｅ側への出力している音声信号、映像信号の供給を停止することを特徴とする請求項１記載の携帯型カラオケ装置。
（３）図２に示すように、前記マイク部２０Ａと前記保持部２０Ｂとの間、前記信号処
理部２０Ｃと前記スピーカ部２０Ｄとの間、前記信号処理部２０Ｃと前記ディスプレイ部２０Ｅとの間の少なくとも１箇所には、取付位置調整及び角度調整が可能である接合手段（接合部）ａ，ｂ，ｃを有することを特徴とする請求項１又は２記載の携帯型カラオケ装置。
（４）図３から図６に示すように、マイク・保持部３０Ａと、信号処理部３０Ｂと、ス
ピーカ部２０Ｄと、ディスプレイ部２０Ｅの一部又はそれぞれが分離可能なように一体に構成してなる携帯型カラオケ装置４０であって、
前記マイク・保持部３０Ａは、マイクロホン２と、カラオケに関する各種の入力選択変更操作を行う操作部４と、前記マイクロホン２側から供給される音声信号と前記操作部４側から供給される操作信号とに基づいて生成した変調信号を無線送信する送信部３０ｅとを備え、
前記信号処理部３０Ｂは、前記送信部３０ｅから無線送信された変調信号を受信する受信部３０ｆと、同期再生可能なカラオケ伴奏、歌詞、画像に関するカラオケデータを多数記憶するメモリ１と、
前記受信部３０ｆで受信した変調信号を変調時と相補的に復調して得た復調信号に基づいた操作信号によって前記メモリ１からのカラオケデータの読み出し動作をはじめとする当該装置の各種動作を制御すると共に、前記復調信号に基づいて得た音声信号と前記メモリから読み出されるカラオケ伴奏に係る音声信号とを前記スピーカ部２０Ｄへ出力し、また前記メモリ１から読み出される歌詞、画像に係る映像信号を前記ディスプレイ部２０Ｅへ出力する制御部６とを備え、
かつ前記スピーカ部２０Ｄと前記ディスプレイ部２０Ｅとにそれぞれ着脱自在に接続されていることを特徴とする携帯型カラオケ装置。
（５）  前記信号処理部３０Ｂは、さらに、音声・映像出力端子７を有しており、
前記制御部６は、さらに、前記送信部３０ｅと前記受信部３０ｆとが一体に接続されているか否かを検出する機能を有しており、前記送信部３０ｅと前記受信部３０ｆとが一体に接続されていないことを検出したときは、前記送信部３０ｅと前記受信部３０ｆとの間で無線伝送を行い、前記送信部３０ｅと前記受信部３０ｆとが一体に接続されていることを検出したときは、前記送信部３０ｅと前記受信部３０ｆ間との間の無線伝送を停止すると共に、前記操作部４側から供給される操作信号に基づいて前記メモリ１から読み出されるカラオケデータの歌詞、画像に係る映像信号と、前記マイクロホン２側から供給される音声信号と前記メモリ１から読み出されるカラオケ伴奏に係る音声信号とを前記音声・映像出力端子７へ出力することを特徴とする請求項４記載の携帯型カラオケ装置。
【発明の効果】
【００１５】
本発明によれば、外部のディスブレイ装置を必要とせずに、装置単独でいつでもどこでも使用することができ、また使用者がマイク部を扱いやすいように、保持部との取付位置の調整、角度調整を自在に調整することができる携帯型カラオケ装置を提供することができる。
【発明を実施するための最良の形態】
【００１６】
図１−図３はそれぞれ本発明の携帯型カラオケ装置の実施例１−実施例３の構成を示す図、図４、図５はそれぞれ図３に示す実施例３の変形例を示す図である。
以下、本発明の実施例１−実施例３を順に説明する。
【００１７】
（実施例1）
図１に示すように、本発明の携帯型カラオケ装置２０は、マイク部２０Ａ、保持部２０Ｂ、信号処理部２０Ｃ、ディスプレイ部２０Ｅ、スピーカ部２０Ｄの５つの部分が一体構成されている装置である。
【００１８】
マイク部２０Ａは、マイクロホン(Microphone)２、マイクロホンアンプ(Amp)３、操作部(Key)４、操作信号変換器(Key Enc)５を備えている。操作部４は下記各種モードなどを選択、変更する操作部であり、ボタンスイッチやダイヤルなどで構成される。エコーレベル、テンポ、音量などの変更、曲や主旋律のon/offなどの選択を行う。操作信号変換器５は操作部４で選択された動作を信号処理・システムコントロール部（DSP+ARM）６に送るシリアル信号などに変換する。保持部２０Ｂは装置２０を保持する握り部分である。
【００１９】
信号処理部２０Ｃは、カラオケデータ記録メモリ(SD)１、信号処理・システムコントローラ(DSP+ARM)６、映像・声信号出力端子(CN4a)７、電源(Battery1)８を備えている。メモリ１はカラオケ伴奏、歌詞、画像を同期再生できるデータが記録されるメモリである。信号処理・システムコントローラ６は操作部４で選択したモードをマイコン(システムコントローラ)で受け取り携帯型カラオケ装置２０の各部の動作を制御する。
【００２０】
具体的には、DSP(信号処理部)ではマイコンの制御信号に従って下記のような処理を行う。即ちマイク部２０Ａからのマイク音声にエコー処理をするなどの信号処理を行う。メモリ１のカラオケデータを読み出し伴奏、歌詞、画像を同期再生し、カラオケ音声と映像を外部機器(テレビジョン)に出力する。映像・音声信号出力端子７は映像と音声信号を外部機器にケーブル（図示せず）で接続する出力端子であり、下記一体型のディスプレイ部２０Ｅ、スピーカ部２０Ｄより大きな画像表示、音声再生を行う場合に外部機器に接続する出力端子である。電源８は電池、充電池などの電源である。
【００２１】
ディスプレイ部２０Ｅは、カラオケ歌詞と背面画像およびカラオケ曲の選択動作を含む各種操作状況の一部又は全てを画面に表示する機能を有する。また、図示せぬ外部機器（テレビジョン：映像、音声再生機器）に接続する映像・音声出力端子７を備えており、この出力端子７に外部機器が接続されているか否かを検出する手段を有し、接続を検出した際にはディプレイ部２０Ｅとスピーカ部２０Ｄの駆動回路の動作を停止させる手段を有する。ディスプレイ部２０Ｅとスピーカ部２０Ｄ、マイク部２０Ａ、信号処理部２０Ｃなどカラオケ機器に必要な入力、表示、再生デバイスを全て一体化とする。
【００２２】
ディスプレイ部(LCD) ２０Ｅは、カラオケ歌詞、背景画像の表示および曲の選択各種モードの選択、変更の操作ガイドを表示する。スピーカ部(Speaker) ２０Ｄは、エコーなどの信号処理をしたマイク入力音声信号をカラオケ伴奏信号と加算した出力を再生する。
【００２３】
次に、上記した構成を有する携帯型カラオケ装置２０の動作について説明する。
マイクロホン１に入力された歌唱音声信号はアンプ３を介して信号処理部２０Ｃでエコーなどの処理がなされ、メモリ１のカラオケ伴奏と合成（ミキシング）されてスピーカ部２０Ｄで再生される。メモリ１のカラオケの歌詞、画像データは信号処理部２０Ｃで同期再生されてディスプレイ部２０Ｅで表示される。また電源on/offや曲の選択、ピッチや音程の変更、歌唱モードなどの選択変更は操作部４のボタン、ダイヤルなどを操作して操作信号変換器５を介して信号処理部２０Ｃのシステムコントローラに入力されて各種動作を制御する。一体型ディスプレイ部２０Ｅ、スピーカ部２０Ｄより大きな画像表示、音声再生を行う場合には外部機器に接続する映像・音声出力端子７を用いる。この外部機器に接続時には映像・音声信号出力端子７にケーブルが接続されていることを検出してディスプレイ部２０Ｅの動作を止めて省電力化を自動的に行う。
【００２４】
これによりカラオケ機器に必要な要素をすべて一体として備えることで従来の携帯型カラオケ装置１０の問題点、即ち、外部に音声と画像を再生する装置(テレビジョン)が必要であること、カラオケ装置自体は手持ちが可能であるが実際の使用状況では手持ちが不可能なテレビジョンが必要であり、テレビジョンのない状況では使用できないこと、小型のスピーカなどの装着や音声のみの無線伝送などは周知ではあるが、歌詞カードが必要であったり、画面表示の指示に従ってでないと曲の選択や各種歌唱モードの選択もできない、といったことを、解決することができる。
【００２５】
（実施例２）
本発明の実施例２の携帯型カラオケ装置３０は、図３に示すように、上記した実施例１の構成において、保持部２０Ｂとマイク部２０Ａとディスプレイ部２０Ｅとスピーカ部２０Ｄの４つの部分の１組以上の部分について位置と角度が相対的に可変できる手段、即ち、接合部ａ，ｂ，ｃを有する装置である。保持部２０Ｂとマイク部２０Ａとディスプレイ部２０Ｅとスピーカ部２０Ｄの４つの部分が可動できる機構を備えた装置とすることによって、実施例１で記した問題点を解決できる。
【００２６】
図２に示すように、実施例２の携帯型カラオケ装置３０は、マイク部２０Ａ、保持部２０Ｂ、信号処理部２０Ｃ、ディスプレイ部２０Ｅ、スピーカ部２０Ｄの５つの部分で構成されていおり、この例では保持部２０Ｂと信号処理部２０Ｃとは一体(固定)である。操作と信号の流れ処理は上記した実施例1と同じであるが、図２中の接合部a，b，cの各部分が図中矢印表示のように可動できるようになっており、保持部２０Ｂに対して相対的にマイク部２０Ａ、ディスプレイ部２０Ｅ、スピーカ部２０Ｄの３つの部分の位置や角度が可変できる。
【００２７】
なお、図２中の矢印では接合部a，b，cの各部で角度変更、回転などの可動を表現しているが、動きは３次元的にどのようでもよく、可動させる機構も特に限定しない。また、例では可動部である接合部a，b，cは保持部(信号処理部と一体)２０Ｂに接合されているが、保持部２０Ｂに対して相対的にマイク部２０Ａ、ディスプレイ部２０Ｅ、スピーカ部２０Ｄの３つの部分の位置や角度が可変できれば各部分はどこに接合されていてもよい。
【００２８】
これにより以下のような利点がある(従来と実施例１の>装置の問題点でもあった)。
(a)マイク部２０Ａの可動：使用者(歌唱者)が歌いやすい位置(角度)にマイク部を配置できる。ハウリングが発生しない位置にマイク２を配置できる。
(b)ディスプレイ部２０Ｅの可動：使用者(歌唱者)が見やすい位置(角度)にディスプレイを配置できる。特に液晶などの薄型表示装置は視野角が狭いので使用者固有の位置に変吏する利点は大きい。
(c)スピーカ部の可動：使用者(歌唱者)が聞きやすい位置(角度)にスピーカを配置できる。使用者(歌唱者)が聞かせたい視聴物や方向にスピーカを配置できる。ハウリングが発生しない位置にスピーカを配置できる。
(ｄ)接合部a，b，cの可動：共通使用しないときには機器の最大突起長を短くできるように構成することにより、収納と持ち運びの利便性を図り携帯性を向上することができる。
【００２９】
（実施例３）
本発明の実施例３の携帯型カラオケ装置４０は、図３に示すように、上記した実施例１または実施例２の装置２０,３０のマイク部２０Ａ、保持部２０Ｂ、信号処理部２０Ｃ、ディスプレイ部２０Ｅ、スピーカ部２０Ｄの５つの部分の一部又は全てを分離可能な機構とした装置であり、さらにマイク部２０Ａからはマイク音声のみ又はマイク音声に加えて操作信号、カラオケ伴奏信号、カラオケ歌詞信号、画像信号の１つ以上を併せて無線で送信するための送信部３０ｅを備えた構成であり、受信部３０ｆではディスプレイ部２０Ｅとスピーカ部２０Ｄと映像・音声出力端子７との一部又は全てを備えている。
【００３０】
また、携帯型カラオケ装置４０は、無線送信部３０ｅと無線受信部３０ｆとが接続していることを検出する手段を備えており、この接続を検出した際には無線送信部３０ｅに必要な回路の動作を停止して無線伝送していた信号を接続端子３０ｄから有線で送受信するように切り換える手段を有する機器であり、さらにマイク部３０Ａの無線送信３０ｅ部と無線受信部３０ｆが分離していることを検出する手段を備えて、分離を検出した際には有線での送受信に必要な回路の動作を停止して、有線伝送していた信号を無線送受信に切り換える手段を有する機器である。
【００３１】
本発明の実施例３は、マイク部３０Ａを分離可能な機構を設け、マイク音声のみ又はマイク音声に加えて操作信号、カラオケ伴奏信号、カラオケ歌詞信号、画像信号の１つ以上を併せて無線伝送する機能も設けた装置である。これにより、従来装置１０、実施例１，２の装置２０，３０に比べて一段と利便性を増すことができる。
【００３２】
図３−図５はそれぞれ本発明の実施例３の構成を示す図であり、保持部２０Ｂとマイク部２０Ａは一体(固定)であるマイク・保持部３０Ａを有し、各部接続、分離の形態は異なるがすべて同一の機器である。図３、図４、図５に示す実施例３と図２に示す実施例２と異なる構成部と機能について以下に主に説明する。
【００３３】
マイク・保持部３０Ａは、変調器(FMEnc.)３０ｃ、無線送信部(TX) ３０ｅ、電源(Battery2)３０ａ、マイク部出力端子(CNIb)３０ｄを備えている。変調器３０ｃはマイクロホン１からのマイク音声と操作信号変換器３０ｂの操作信号を合成して変調する。この例では周波数多重してFM変調する。無線送信部３０ｅは上記のマイク音声と操作の変調信号を送信する。電源３０ａは電池、充電池などの電源であり、マイク・保持部３０Ａ分離動作のために必要である。マイク部出力端子３０ｄはマイクアンプ入力と操作信号変換器３０ｂ出力のコネクタであり、上記した実施例２と同じく一体接続時に信号を接続する。
【００３４】
信号処理部３０Ｂは、マイク部入力端子(CNla)３０ｄ１、無線受信部(RX) ３０ｆ、復調器(FMDec.) ３０ｇ、ディスプレイ部出力端子(CN2a)３０ｈ、スピーカ部出力端子(CN3a) ３０ｉ、メモリインターフェイス端子(USB)３０ｊを備えている。マイク部入力端子(CNla) ３０ｄ１はマイクアンプ３出力と操作信号変換器３０ｂ出力のコネクタであり、上記した実施例２と同じく一体接続時に信号を接続する。無線受信部３０ｆはマイク部３０Ａから送信したマイク音声と操作の変調信号を受信する。復調器３０ｇは受信した変調信号を復調する。この例では周波数多重されたマイクロホン１からのマイク音声と操作信号変換器３０ｂの操作信号をそれぞれ分離してＦＭ復調する。ディスプレイ部出力端子３０ｈはディスプレイ用画像信号の出力コネクタである。スピーカ部出力端子３０ｉはスピーカ用音声信号の出力コネクタである。メモリインターフェイス端子３０ｊは外部機器(パソコンなど)に接続する端子であり、メモリ(SD)１のカラオケ曲データをシステムコントローラを介して書き込み、編集などをする。
【００３５】
ディスプレイ部３０Ｅは、ディスプレイ部入力端子(CN2b)３０ｇ１を有しており、このディスプレイ部入力端子３０ｇ１はディスプレイ用画像信号の入力コネクタである。スピーカ部２０Ｄは、スピーカ部入力端子(CN3b)３０ｉ１を有しており、このスピーカ部入力端子３０ｉ１はスピーカ用音声信号の入力コネクタである。
【００３６】
カラオケ伴奏、音声、画像、操作などの信号と制御は前例と同じであるが、上記の変調器３０ｃ、無線送信部３０ｅ、無線受信部３０ｆ、復調器３０ｇを介していることによりマイク部３０Ａのワイヤレス化が可能となる。
【００３７】
図３の例ではマイク音声信号と操作信号を周波数多重したＦＭ変調波として送信して信号処理部３０Ｂで受信する。さらに信号処理に接続されたディスプレイ部３０Ｅ、スピーカ部２０Ｄでカラオケ画像、音声が再生される。また図４に示すように、外部機器(テレビジョン)に接続時には上記の入出力コネクタを利用してディスプレイ部３０Ｅとスピーカ部２０Ｄを分離することもできる。
【００３８】
さらに図５に示すように、上記の入出力コネクタを利用してすべての部分を接続した際には、上記した実施例１と全く同じ使用方法が可能となる。この実施例３の場合にも実施例２のように、図中の接合部a，b，cが可動できる装置としてもよい。
【００３９】
上記マイク部３０Ａと信号処理部３０Ｂが接続時にはCNlb３０ｄ、マイク部入力端子(CNla) ３０ｄ１が接続されていることを検出して変調器３０ｃ、無線送信部３０ｅ、無線受信部３０ｆ、復調器３０ｇの動作を止めて省電力化を自動的に行う。検出の方式はどのような手法でもよい。マイク部３０Ａと一体(固定)の保持部２０Ｂは片手で装置を保持する握り機構で構成されているものを本例では示しているが、手ではなく頭部や頸部などに固定してマイクロホン２が使用者の口元に設置できる機構でもよい。
【００４０】
無線伝送には変調方式としてアナログＦＭ変調を例として示しているが、各種ディジタルや光(赤外)などの変調を用いてもよく、変調および送信方式は何でもよい。
さらにマイク音声と操作信号などは同一の変調方式でなく例えばＦＭ変調と赤外線などの併用でもよい。
【００４１】
実施例３の装置ではマイク部３０Ａからマイク音声と操作信号を送信しているが、マイク部３０Ａからはマイク音声のみ又はマイク音声に加えて操作信号、カラオケ伴奏信号、カラオケ歌詞信号、画像信号の1つ以上を併せて無線伝送する構成でよい。受信部はディスプレイ部３０Ｌとスピーカ部２０Ｄおよび映像・音声出力端子７が備わっているか接続できる構成とする。
【００４２】
この実施例３により、上記した実施例１、実施例２の効果に加えて、以下の利便性が実現できる。即ち、図３、図４に示すような、ワイヤレス環境で使用者が持ったり装着するマイク部の小型、軽量化ができる。図５のような環境では前記の実施例と同じ使用方法が可能であり、マイク部が接続していることを検出してワイヤレス機能にのみ必要な回路の動作を止めることにより省電力化を実現する。各接続部を分離して収納することにより収納容積を小さくできる。
【図面の簡単な説明】
【００４３】
【図１】本発明の実施例１の構成を示す図である。
【図２】本発明の実施例２の構成を示す図である。
【図３】本発明の実施例３の構成を示す図である。
【図４】図３に示す実施例３の変形例を示す図である。、
【図５】図３に示す実施例３の変形例を示す図である。
【図６】従来の携帯型カラオケ装置の構成を示す図である。
【符号の説明】
【００４４】
１  メモリ、カラオケデータ記録メモリ
２  マイクロホン
３  マイクロホンアンプ、アンプ
４  操作部
５  操作信号変換器
６  信号処理・システムコントロール部、信号処理・システムコントローラ（制御部）
７  映像・音声出力端子、映像・声信号出力端子
８  電源
９  ケーブル
１０，２０，３０，４０  携帯型カラオケ装置
１０Ａ，２０Ａ  マイク部
１０Ｂ  保持・信号処理部
２０Ｂ  保持部
２０Ｃ，３０Ｂ  信号処理部
２０Ｄ  スピーカ部
２０Ｅ，３０Ｌ  ディスプレイ部
３０Ａ  マイク・保持部
３０ｅ  送信部、無線送信部
３０ｆ  受信部、無線受信部
ａ，ｂ，ｃ  接合部（接合手段）
【図１】
2007094297.tif 000003
【図２】
2007094297.tif 000004
【図３】
2007094297.tif 000005
【図４】
2007094297.tif 000006
【図５】
2007094297.tif 000007
【図６】
2007094297.tif 000008